(57)【要約】【課題】着用中に輪状装身具の輪径を容易に変えられると共に、装飾部が組み合わせにより形状を変えて装飾的変化が得られる商品の提供を目的とした。【解決手段】飾り部材は、上蓋部と下蓋部にて構成し、前記上蓋部は、器状フレームにて背面に開口部と、上下面周壁部適宜には互いに対向する位置に一対の貫通した鎖を貫通させる挿入孔と、側面の片側周壁部適宜位置には磁石を挿入する１個乃至複数の孔と、該孔の内部側に磁石を収納する筒とを設け、また、該内部には弾性体の管より径が小さい鎖を通す孔を有する壁を１箇所乃至複数箇所平行に設置して上蓋部を形成、下蓋部は、背面に前記壁の間、又は、前記壁と上下面どちらかの周壁部との間に嵌り込む大きさの筒体を１個乃至２個、鎖が貫通する向きに配置し、該筒体に弾性体の管を配して下蓋部を形成し、上蓋部の開口部に下蓋部を嵌め込み鎖を貫通させて磁力の接合にて装飾部とした多機能を有する輪状装身具。        【選択図】図５
2005334262.tif 000002
【特許請求の範囲】
【請求項１】
鎖を貫通させて使用する２個乃至複数個の飾り部材内部に磁石と弾性体の管を内蔵し、該飾り部材に内蔵した磁極の異なる磁石の磁力によって飾り部材同士を接合させて装飾部として輪状装身具の輪を形成、且つ、鎖を貫通させた弾性体の管によって、鎖上を自由に摺動、且つ、任意の場所に係止可能として輪径を容易に変える事ができる輪状装身具であって、飾り部材は、上蓋部と下蓋部にて構成され、前記上蓋部は、器状フレームにて背面に開口部と、上下面周壁部適宜には互いに対向する位置に一対の貫通した鎖を挿入し貫通させる挿入孔と、側面の片側周壁部適宜位置には磁石を挿入する孔と、該孔の内部側に磁石を収納する筒とを設け、また、該内部には弾性体の管より径が小さい鎖を通す孔を有する壁を設置して上蓋部を形成、下蓋部は、背面に前記壁の間、又は、前記壁と上下面どちらかの周壁部との間に嵌り込む大きさの筒体を、鎖が貫通する向きに配置し、該筒体に弾性体の管を配して下蓋部を形成し、上蓋部の開口部に下蓋部を嵌め込んで装飾部を構成し、鎖を上蓋部の挿入孔と、下蓋部に設けた弾性体の管と、挿入孔とを貫通させることにより、下蓋部が上蓋部から外れること無く使用できることを特徴とした多機能を有する輪状装身具。
【請求項２】
請求項１記載の飾り部材において、上蓋部に磁石を挿入する孔、該孔の内部側に磁石を収納する筒及び、弾性体の管より径が小さい鎖を通す孔を有する壁とを複数個設け、下蓋部に筒体を２個直列に設けることを特徴とした多機能を有する輪状装身具。
【発明の詳細な説明】
【技術分野】
【０００１】
本発明は、磁石と弾性体を内蔵した飾り部材を用いた輪状装身具に関するものである。
【背景技術】
【０００２】
従来、ペンダントを吊り下げる多くの装飾用ネックレス（輪状装身具）は、両端に連結部材である引き輪金具等を用い、該引き輪金具等を連結して首の後に回して使用し、身体の首下から胸前面を装飾する機能を果たしていた。
【０００３】
しかしながら、前記装飾用ネックレス（輪状装身具）では、単一な着用方法のみであるために趣味性に富んだ装飾的変化を得ることはできなかった。
【０００４】
前記装飾的変化を得る解決方法として、１本のネックレスを多様に使用するために、磁力を用い、通常の輪状装身具を首に装着したときに、即座に首元付近において左右２本の鎖を互いに吸着させ、Ｙ字状に形成できるように、左右一対、又は、片方が永久磁石、他方は磁性体である磁気手段を有したネックレスがある。（例えば特許文献１参照。）。
【０００５】
また、 第１のネックレス本体部材の一端に第１の磁石を収納した第１の連結体と、第２のネックレス本体部材の一端に第２の磁石を収納した第２の連結体にて、第１、第２双方の一端を磁力にて連結可能とし、また、第１、第２ネックレス双方の他端にシリコン樹脂を充填した長さ調整部材を通すことにより、ネックレス本体の首に掛ける輪状となる部分の長さを調整することができるネックレスがある。（例えば特許文献２参照。）。
【０００６】
しかし、特許文献１の装飾的変化は一対の磁気手段にてＹ字状（Ｙチェーン）とするため限られた装飾的変化しか得ることができないために物足りなさが残るもので有る。
【０００７】
また、特許文献２は、磁気を収納した連結体と輪状となる部分の長さを調整することができるシリコン樹脂を充填した長さ調整部材とを用いて構成しているためにネックレス全体のデザイン性に難がある欠点があった。
【特許文献１】登録実用新案第３０６３７８４号公報
【特許文献２】特開２０００−３４２３１０号公報
【発明の開示】
【発明が解決しようとする課題】
【０００８】
解決しようとする問題点は、着用中に輪状装身具の輪径を容易に変えることが可能であり、且つ、装飾部が組み合わせにより形状が変えられる機能にて装飾的変化が得られる趣味性に富んだ商品の提供を目的とした。
【課題を解決するための手段】
【０００９】
本発明の多機能を有する輪状装身具は、鎖を貫通させて使用する２個乃至複数個の飾り部材内部に磁石と弾性体の管を内蔵し、該飾り部材に内蔵した磁極の異なる磁石の磁力によって飾り部材同士を接合させて装飾部とし、飾り部材は、上蓋部と下蓋部にて構成され、前記上蓋部は、器状フレームにて背面に開口部と、上下面周壁部適宜には互いに対向する位置に一対の貫通した鎖を挿入し貫通させる挿入孔と、側面の片側周壁部適宜位置には磁石を挿入する１個乃至複数の孔と該孔の内部側に磁石を収納する筒とを設け、また、該内部には弾性体の管より径が小さい鎖を通す孔を有する壁を１箇所乃至複数箇所に設置して上蓋部を形成、下蓋部は、背面に前記壁の間、又は、前記壁と上下面どちらかの周壁部との間に嵌り込む大きさの筒体１個乃至２個を鎖が貫通する向きに配置し、該筒体に弾性体の管を配して下蓋部を形成し、上蓋部の開口部に下蓋部を嵌め込んで装飾部を構成し、鎖を上蓋部の挿入孔と、上蓋部の壁の孔と、下蓋部に設けた弾性体の管と、挿入孔とを貫通させることにより下蓋部が上蓋部から外れること無く使用できることを特徴とした。
【発明の効果】
【００１０】
上記構成により、本発明の多機能を有する輪状装身具は、弾性体の管の摩擦抵抗による摺動可能な機構にて位置が自由に変えられることにより、その場その場の雰囲気に合せ、装着した状態で素早く簡単に装飾部の位置移動にて輪径を容易に変えることが可能となった。
【００１１】
更に飾り部材の組み合わせにより、装飾部のデザイン形状も磁石の磁力による接合にて変えられると共に、Ｙ字状（Ｙチェーン）としても使用できる装飾的変化が得られる趣味性に富んだ商品の提供が可能となった。
【発明を実施するための最良の形態】
【００１２】
着用中に輪状装身具の輪径を変えられると共に、装飾部の装飾的変化が得られる目的を美観を損なわず実現した。
【実施例１】
【００１３】
図１は、本発明の多機能を有する輪状装身具２０に用いた一実施例の飾り部材２を構成する部品を示す概念図あり、図２は該飾り部材２の構成を示す正面図である。また、図３は図２の右側面図、図４は図３Ａ−Ａの線断面図、図５は図４線断面図で示した飾り部材２を２個用いて磁石の磁力にて接合し、鎖を通して装飾部５とした一実施例を示す断面図、図６は大きさが異なる新たな飾り部材２１から２１ｃを鎖に取り付け、磁力にて装飾部２３、２３ａを接合させた輪状装身具２０の実施例を示す概念図である。
【００１４】
以下本発明の一実施例を図面に基づいて説明する。図１に示す飾り部材２の構成は、（Ａ）上蓋部６と、（Ｂ）磁石３と、（Ｃ）下蓋部７と、（Ｄ）弾性体の管４との部品から構成され、（Ａ）上蓋部６は、器状フレームにて背面に開口部８を、上下面周壁部適宜には互いに対向する位置に一対の貫通した鎖１を挿入し貫通させる挿通孔９、９ａを設け、側面の片側周壁部１０適宜位置には磁石３、３ａを挿入する孔１１、１１ａと、該孔の内部側に前記磁石を収納する筒１２、１２ａを設け、また、該内部には弾性体の管４より径が小さい鎖１を通す孔１３、１３ａを有する壁１４、１４ａを平行に設置して上蓋部６を形成した。
【００１５】
（Ｂ）の磁石３、３ａは、磁極の異なる（Ｎ極、Ｓ極）磁石の磁力によって飾り部材同士を接合させて装飾部５を形成させるのに用いた。
【００１６】
（Ｃ）の下蓋部７は、上蓋部６の壁１４と周壁部上面と、壁１４ａと周壁部下面との間に嵌り込む大きさの筒体１６、１６ａを、鎖１が貫通する向きに配置し、該筒体に弾性体の管４、４ａを配することができる。
【００１７】
（Ｄ）弾性体の管４、４ａは、鎖を貫通させることによって、摩擦抵抗にて鎖１上を自由に摺動、且つ、任意の場所に係止させて輪径を容易に変えるものとして用いた。本発明によれば、弾性体の管４に関しては、弾性材に貫通した孔を有する物で有れば特に限定するものではなく、例えばシリコンチューブ、ゴム管等を用いても良く、留意事項として、使用する鎖１の太さより径の小さい貫通した孔を有する弾性体の管４、４ａを用いることで鎖１との摩擦抵抗が得られる。
【００１８】
図２、図３、図４は図１に示す（Ａ）〜（Ｄ）の部品を組み合わせて飾り部材２を構成したことを示し、該図４の線断面図を用いて組み込み工程を説明する。
【００１９】
上蓋部６の側面の片側周壁部１０に設けた磁石を挿入する孔１１、１１ａより、磁石３、３ａの磁極（Ｎ極）を同じ表向きにして筒１２、１２ａに接着剤等にてボンド留めを行い、下蓋部７の筒体１６、１６ａに弾性体の管４、４ａを挿入した後、上蓋部６の開口部８に下蓋部７を嵌め込んで飾り部材２を構成させた。
【００２０】
前記に構成した飾り部材２に鎖１を、挿入孔９、弾性体の管４、壁１４、１４ａに設けた孔１３、１３ａ、弾性体の管４ａ、挿入孔９ａの順に貫通させることにより、下蓋部７が上蓋部６から外れることなく使用できる。そして、新たに飾り部材２ａを飾り部材２と同じ組み込み工程にて鎖１を貫通させる際の留意事項として、輪状装身具２０を形成させる際に飾り部材２、２ａの側面の片側周壁部１０同士が向き合うようにし、使用する磁石の磁極は飾り部材２の磁極（Ｎ極）と２ａが異なる磁極（Ｓ極）を同じ表向きにして収納することで飾り部材２と飾り部材２ａが磁力にて接合し装飾部５を形成させることができた事を図５にて示す。
【００２１】
図６（Ａ）、（Ｂ）は、鎖１を貫通させた大きさの異なる新たな形状の各々の飾り部材２１、２１ａ、２１ｂ、２１ｃにて、磁石を用いた磁力による接合及び、弾性体の管にて輪径が自由に変えられる形態を示し、図６（Ａ）は、飾り部材２１、２１ａ、２１ｂ、２１ｃに鎖１の一端を貫通させた後、環２５を介して鎖１の両端に抜け防止部材２４、２４ａを取り付け、飾り部材が鎖１より抜けでることを防止して輪状装身具２０として使用できるようにした。
【００２２】
各々の飾り部材の表面磁極として、飾り部材２１、２１ａをＮ極、飾り部材２１ｂ、２１ｃをＳ極として磁石を組み込み使用した。
【００２３】
図６（Ｂ）は、飾り部材２１、２１ａ、２１ｂ、２１ｃを、鎖１上を摺動させて各々を任意の位置に係止させ、飾り部材２１と２１ｃを磁力によって接合させて装飾部２３を形成、また、２１ａと２１ｂを同じく接合させて装飾部２３ａを形成させて輪状装身具２０を構成させた。
【００２４】
本発明は、上記実施例から判るように、その日の雰囲気、その場の雰囲気によって輪径が容易に変えられると共に、飾り部材の組み合わせにより、装飾部のデザイン形状が磁石の磁力による接合にて変えられる。
【００２５】
また、本発明によれば、飾り部材の上蓋部の正面、下蓋部の正面に宝石を石留め、模様を施すことも可能であり、それにより装飾部をリバーシブルにも使用することができる装飾的変化が得られる趣味性に富んだ輪状装身具２０の提供が可能となった。
【図面の簡単な説明】
【００２６】
【図１】本発明に用いた一実施例の飾り部材を構成する部品を示す概念図である。
【図２】本発明に用いた飾り部材の一実施例を示す正面図である。
【図３】図２の右側面図である。
【図４】図２Ａ−Ａの線断面図である。
【図５】図４線断面図で示した飾り部材を２個用いて接合し、鎖を貫通させて装飾部とした一実施例を示す断面図である。
【図６】大きさが異なる４個の飾り部材を鎖に取り付け、装飾部を形成させた輪状装身具の一実施例を示す概念図である。
【符号の説明】
【００２７】
１    鎖  
２    飾り部材
２ａ  飾り部材
３    磁石
３ａ  磁石
３ｂ  磁石
３ｃ  磁石
４    弾性体の管
４ａ  弾性体の管
４ｂ  弾性体の管
４ｃ  弾性体の管
５    装飾部
６    上蓋部
７    下蓋部
８    開口部
９    挿入孔
９ａ  挿入孔
１０    側面の片側周壁部
１１    磁石を挿入する孔
１１ａ  磁石を挿入する孔
１２    筒
１２ａ  筒
１３    孔
１３ａ  孔
１４    壁
１４ａ  壁
１５    背面
１６    筒体
１６ａ  筒体
１６ｂ  筒体
１６ｃ  筒体
２０    輪状装身具
２１    飾り部材
２１ａ  飾り部材
２１ｂ  飾り部材
２１ｃ  飾り部材
２２    磁石
２２ａ  磁石
２２ｂ  磁石
２３    装飾部
２３ａ  装飾部  
２４    抜け防止部材
２４ａ  抜け防止部材
２５    環
【図１】
2005334262.tif 000003
【図２】
2005334262.tif 000004
【図３】
2005334262.tif 000005
【図４】
2005334262.tif 000006
【図５】
2005334262.tif 000007
【図６】
2005334262.tif 000008
【手続補正書】
【提出日】平成16年7月21日(2004.7.21)
【手続補正１】
【補正対象書類名】明細書
【補正対象項目名】０００７
【補正方法】変更
【補正の内容】
【０００７】
また、特許文献２は、磁気を収納した連結体と輪状となる部分の長さを調整することができるシリコン樹脂を充填した長さ調整部材とを用いて構成しているためにネックレス全体のデザイン性に難がある欠点があった。
【特許文献１】登録実用新案第３０６３７８４号公報
【特許文献２】特開２０００−３２５１１７号公報